(57)【特許請求の範囲】
【請求項１】
扉（３）の屋内面に回転操作自在に設けられるサムターン（１１１）と、
先端のボルト部（２１）の後部にスライド板（２３）が一体に形成され、ボルト部（２１）が、前記サムターン（１１１）の回転操作により扉（３）の前端面から進退されるガードボルト（１９）と、
扉の屋外面に表出されたキー孔を介して施解錠操作され、前記サムターン（１１１）と同軸状に設けられ、キー孔を介しての回転操作により前記ガードボルト（１９）を扉（３）の前端面から進退させる第一シリンダー錠（１５）と、
前記第一シリンダー錠（１５）の下部に設けられ、扉の屋外面に表出されたキー孔を介しての回転操作により施解錠操作される第二シリンダー錠（４３）と、
前記サムターン（１１１）と前記第一シリンダー錠（１５）の回転操作により正逆回転される軸部（１３）であって、該軸部（１３）に突設される第１及び第２のガードボルト係合部（１３ｂ，１３ｅ）が前記ガードボルト（１９）のスライド板（２３）に形成された凹部（２８，２９）に係合することによりガードボルト（１９）を進退させる軸部（１３）と、
前記第一シリンダ錠（１５）の回転外周に固定される係合リング（５５）と、
前記第一シリンダー錠（１５）及び第二シリンダー錠（４３）の近傍に回転自在に支持されたストッパー（６３）であって、付勢手段によりストッパー（６３）の先端（６３ａ）が前記係合リング（５５）の係合突起（５５ａ，５５ｂ）に係合し、施錠位置にある前記第一シリンダ錠（１５）の回転を規制して前記ガードボルト（１９）を後退させる方向のキー操作を不能とし、第一シリンダ錠（１５）が解錠位置にあり、ガードボルト（１９）の先端ボルト部（２１）が扉（３）の前端面内に収納されている時には、ストッパー（６３）の先端（６３ａ）が前記係合リング（５５）の外周をスライドして前記サムターン（１１１）及び第一シリンダー錠（１５）の施錠方向の回転操作を許容するストッパー（６３）と、
前記第二シリンダー錠（４３）の回転外周に設けられたキャンセルリング（５７）であって、前記ストッパー（６３）の先端（６３ａ）が前記係合リング（５５）の係合突起（５５ａ，５５ｂ）に係合した状態の時に、第二シリンダー錠（４３）の回転操作により、キャンセルリング（５７）の外周に設けた段部（５７ａ）が前記ストッパー（６３）を押圧して、ストッパー（６３）先端（６３ａ）の前記係合リング（５５）の係合突起（５５ａ，５５ｂ）への係合を解き、係合リング（５５）及び前記第一シリンダー錠（１５）の解錠方向への回転操作を許容するキャンセルリング（５７）と、を具備することを特徴とする施錠装置。
【請求項２】
前記扉に内設され上下に摺動自在となるとともに回転操作される前記サムターン又は前記第一シリンダー錠により前記ガードボルトの進退と共に先端が前記扉の上端面又は下端面から進退されるロック手段と、
を具備したことを特徴とする請求項１記載の施錠装置。
【請求項３】
前記扉に内設され回転操作される前記サムターン又は前記第一シリンダー錠により前記ガードボルトの進退に従動して先端が前記扉の前端面から進退されるデッドボルトと、
該デッドボルトの進退に従動して揺動自在に前記扉に設けられ前記デッドボルトの突出に伴って揺動した鉤状先端部が、扉枠に設けられた受穴の裏側縁部に掛止するカマデッドと、
を具備したことを特徴とする請求項１又は２記載の施錠装置。
【請求項４】
前記第二シリンダー錠に連動連結され、該第二シリンダー錠の前記第一シリンダー錠に対する回転規制の解除操作を必要又は不要にする切替手段が、前記サムターンの設けられた前記錠箱の屋内側の面に設けられたことを特徴とする請求項１乃至３のいずれかに項記載の施錠装置。
【請求項５】
前記軸部（１３）は、前記サムターン（１１１）と一致して回転される一方、軸部（１３）と前記第一シリンダー錠（１５）とは、軸部（１３）の端面から突出された突起（３７）を第一シリンダー錠（１５）に形成された周溝（３９）に係合させることにより、周方向に遊びをもって持って連動連結され、
屋外側からの解錠時には前記第二シリンダー錠をキーにより操作して前記第一シリンダー錠の回転規制を解除した後前記第一シリンダー錠を前記キーにより操作して前記ガードボルトを後退させて解錠する一方、屋内側からの解錠時には前記サムターンの回転操作のみにより前記ガードボルトを後退させて解錠することを特徴とする請求項１乃至４のいずれかに記載の施錠装置。
【発明の詳細な説明】
【０００１】
【発明の属する技術分野】
本発明は、屋内側に一つのサムターンと、屋外側に二つのシリンダー錠とを備えた施錠装置に関するものである。
【０００２】
【従来の技術】
施錠装置には、防犯性能を高めるために、一の扉に二つの錠前を設ける、所謂ワンドア２ロックシステムが従来より採用されている。従来、このワンドア２ロックシステムは、屋外側に２シリンダー、屋内側に２サムターンを装着する、すなわちそれぞれが単独で機能する施錠装置を２つ設ける構成が一般的である。
【０００３】
ところが、２ケ所の錠前を施錠するには、２つのサムターン又は２つのシリンダー錠を、それぞれに操作、すなわち２回操作しなければならず、煩雑である。
そこで、かかる煩雑さを解消するために、一つのサムターン又はシリンダーで、２ケ所以上の錠前を施錠できる施錠装置等が案出されている。
【０００４】
この施錠装置によれば、ガードボルト、デッドボルトやカマデッドのそれぞれが一つのサムターン又はシリンダー錠で操作できるので、別途の補助錠となる施錠装置を設けずに、複数箇所でのロックを可能にすることができ、施錠信頼性を向上させることができるとともに、施解錠の操作性も高めることができる。
【０００５】
【発明が解決しようとする課題】
しかしながら、上述した従来の施錠装置は、施錠箇所に種々の錠前を設けているので、バール等によるこじ開けには強いが、一つのサムターン又はシリンダー錠を解錠操作することで、全ての施錠箇所を解錠することが可能となるため、防犯上の不安が残る。
【０００６】
本発明は上記状況に鑑みてなされたもので、複数箇所でのロックが可能になり、屋内側からは容易に施解錠操作が行え、屋外側からは容易には解錠が行えない施錠装置及びその解錠方法を提供し、もって、防犯性能の向上と、利便性とを同時に達成することを目的とする。
【０００７】
【課題を解決するための手段】
上記目的を達成するための本発明の構成を、実施の形態に対応する図１〜図１９を用いて説明すると、請求項１記載の施錠装置１は、扉３の屋内面に回転操作自在に設けられるサムターン１１１と、先端のボルト部２１の後部にスライド板２３が一体に形成され、先端ボルト部２１が、前記サムターン１１１の回転操作により扉３の前端面から進退されるガードボルト１９と、扉の屋外面に表出されたキー孔を介して施解錠操作され、前記サムターン１１１と同軸状に設けられ、キー孔を介しての回転操作により前記ガードボルト１９を扉３の前端面から進退させる第一シリンダー錠１５と、前記第一シリンダー錠１５の下部に設けられ、扉の屋外面に表出されたキー孔を介しての回転操作により施解錠操作される第二シリンダー錠４３と、前記サムターン１１１と前記第一シリンダー錠１５の回転操作により正逆回転される軸部１３であって、該軸部１３に突設される第１及び第２のガードボルト係合部１３ｂ，１３ｅが前記ガードボルト１９のスライド板２３に形成された凹部２８，２９に係合することによりガードボルト１９を進退させる軸部１３と、前記第一シリンダ錠１５の回転外周に固定される係合リング５５と、前記第一シリンダー錠１５及び第二シリンダー錠４３の近傍に回転自在に支持されたストッパー６３であって、付勢手段によりストッパー６３の先端６３ａが前記係合リング５５の係合突起５５ａ，５５ｂに係合し、施錠位置にある前記第一シリンダ錠１５の回転を規制して前記ガードボルト１９を後退させる方向のキー操作を不能とし、第一シリンダ錠１５が解錠位置にあり、ガードボルト１９の先端ボルト部２１が扉３の前端面内に収納されている時には、ストッパー６３の先端６３ａが前記係合リング５５の外周をスライドして前記サムターン１１１及び第一シリンダー錠１５の施錠方向の回転操作を許容するストッパー６３と、前記第二シリンダー錠４３の回転外周に設けられたキャンセルリング５７であって、前記ストッパー６３の先端６３ａが前記係合リング５５の係合突起５５ａ，５５ｂに係合した状態の時に、第二シリンダー錠４３の回転操作により、キャンセルリング５７の外周に設けた段部５７ａが前記ストッパー６３を押圧して、ストッパー６３先端６３ａの前記係合リング５５の係合突起５５ａ，５５ｂへの係合を解き、係合リング５５及び前記第一シリンダー錠１５の解錠方向への回転操作を許容するキャンセルリング５７と、を具備することを特徴とする。
【０００８】
この施錠装置１では、屋外側からの操作において、第二シリンダー錠４３を操作し、第一シリンダー錠１５の回転規制を解除してからでなくては、第一シリンダー錠１５によりガードボルト１９を後退させることができない。一方、屋内側からの操作においては、サムターン１１１のみの操作により、解錠が可能となる。これにより、屋外側からの解錠が容易でなくなり、屋内側からの施錠・解錠操作が容易になる。
【０００９】
請求項２記載の施錠装置１は、前記扉３に内設され上下に摺動自在となるとともに回転操作される前記サムターン１１１又は前記第一シリンダー錠１５により前記ガードボルト１９の進退と共に先端が前記扉３の上端面又は下端面から進退されるロック手段Ｄと、
を具備したことを特徴とする。
【００１０】
この施錠装置１では、サムターン１１１又は第一シリンダー錠１５が回転操作され、ガードボルト１９が突出すると、同時にロック手段Ｄが扉３の上端面又は下端面から突出され、このロック手段Ｄの先端が扉枠に係合して、ガードボルト１９による本締めと、ロック手段Ｄによる扉枠へのロックとが同時になされることになる。すなわち、簡単な構造で二重の施錠状態となって防犯性が向上する。また、ロック手段Ｄは、サムターン１１１又は第一シリンダー錠１５の回転により操作されるため、別途操作の必要となる補助施錠装置等が不要となる。
【００１１】
請求項３記載の施錠装置１は、前記扉３に内設され回転操作される前記サムターン１１１又は前記第一シリンダー錠１５により前記ガードボルト１９の進退に従動して先端が前記扉３の前端面から進退されるデッドボルト８３と、
該デッドボルト８３の進退に従動して揺動自在に前記扉３に設けられ前記デッドボルト８３の突出に伴って揺動した鉤状先端部９３ｂが、扉枠に設けられた受穴の裏側縁部に掛止するカマデッド９３と、
を具備したことを特徴とする。
【００１２】
この施錠装置１では、ガードボルト１９の突出に従動してデッドボルト８３が突出され、このデッドボルト８３の突出に伴ってカマデッド９３が揺動され、デッドボルト８３の受穴への進入に加えて、カマデッド９３の鉤状先端部９３ｂが受穴の裏側にも掛止するようになる。これにより、単にガードボルト１９やデッドボルト８３が受穴に進入する施錠では防ぐことのできなかった扉枠と扉前端面の離反方向の破壊による不正な施錠解除が防止可能になる。
【００１３】
請求項４記載の施錠装置１は、前記第二シリンダー錠４３に連動連結され、該第二シリンダー錠４３の前記第一シリンダー錠１５に対する回転規制の解除操作を必要又は不要にする切替手段が、前記サムターン１１１の設けられた前記錠箱５の屋内側の面に設けられたことを特徴とする。
【００１４】
この施錠装置１では、屋内側の解除手段により第二シリンダー錠４３が操作され、第一シリンダー錠１５に対する回転規制が解除状態となることで、第二シリンダー錠４３を操作せずに、第一シリンダー錠１５のみの操作によりガードボルト１９が後退可能となり、屋外側からの容易な解錠操作（所謂シングルロック仕様）が設定可能になる。
【００１５】
請求項５記載の施錠装置１は、回転操作されるサムターン１１１により扉３の前端面から進退されるガードボルト１９と、前記ガードボルト１９を進退させる第一シリンダー錠１５と、該第一シリンダー錠１５の回転規制を解除する第二シリンダー錠４３とを備えた施錠装置１であって、屋外側からの解錠時には前記第二シリンダー錠４３をキーにより操作して前記第一シリンダー錠１５の回転規制を解除した後、前記第一シリンダー錠１５を前記キーにより操作して前記ガードボルト１９を後退させて解錠する一方、屋内側からの解錠時には前記サムターン１１１の回転操作のみにより前記ガードボルト１９を後退させて解錠することを特徴とする。
【００１６】
この施錠装置１では、第二シリンダー錠４３のキー操作により第一シリンダー錠１５の回転規制が解除された後、第一シリンダー錠１５のキー操作によりガードボルト１９が後退されて解錠が可能になる。一方、屋内側からの解錠時には、サムターン１１１の回転操作のみによりガードボルト１９が後退されて解錠される。従って、屋外側からは二重の操作が必要になるのに対し、屋内側からは一回の操作により解錠が可能になり、防犯性能が高められるとともに、利便性が確保される。
【００１７】
【発明の実施の形態】
以下、本発明に係る施錠装置の好適な実施の形態を図面を参照して詳細に説明する。
図１は本発明に係る施錠装置の設けられた扉の斜視図、図２は図１の施錠装置を、錠箱を切り欠いて示した側面図、図３は図２の錠本体の分解斜視図、図４は軸部の斜視図、図５はガードボルトの斜視図、図６は扉枠に設けられたガードアームの斜視図、図７は錠本体に取り付けられるフロント板の斜視図、図８は図２のシリンダーユニットの分解斜視図、図９は図２の補助錠の分解斜視図、図１０は補助錠に取り付けられるフロント板の斜視図である。
【００１８】
本実施の形態による施錠装置１は、図１、図２に示すように、扉３に取り付けられる、錠本体Ａと、シリンダーユニットＢと、補助錠Ｃ、ロック手段Ｄとから大略構成されている。
【００１９】
施錠装置１の主要構成部分である錠本体Ａは、図３に示す錠箱５が例えば扉３の端部に内蔵され、錠箱５に固定された図７に示すフロント板７が扉３の木口  （前端面）９に露出して取り付けられる。
【００２０】
錠箱５には図３に示す軸穴１１が穿設され、軸穴１１は軸部１３の端部を支持している。この軸部１３は、屋外側に設けられるシリンダーユニットＢの第一シリンダー錠１５と、屋内側に設けられる不図示のサムターンによる操作で回転されるようになっている。
【００２１】
図４及び図５に示すように、この軸部１３は回転中心から半径方向外側へ突出する五つの突起部であるバネ摺接部１３ａ、第１のガードボルト係合部１３ｂ、昇降板係合部１３ｃ、揺動突起部１３ｄ、第２のガードボルト係合部１３ｅを有している。
【００２２】
バネ摺接部１３ａは、軸部１３の軸線に対して直交する方向に先端が突出する略三角形状に形成されており、錠箱５内に設けられた図３に示す凹部１７ａを有する板バネ１７に接触して配置される。
【００２３】
バネ摺接部１３ａは、軸部１３が正逆回転されることにより、板バネ１７から付勢力を受けながら、凹部１７ａに嵌入する位置（図２に示すポジションｂ）と、この凹部１７ａを挟む上下の位置（ポジションａ、ポジションｃ）の合計３つの位置に配置されるようになっており、本実施の形態では４５°ずつとされる。
【００２４】
第１のガードボルト係合部１３ｂと第２のガードボルト係合部１３ｅは、錠箱５内に設けられた図５に示すガードボルト１９に摺接する。ガードボルト１９は、先端のボルト部２１と、後端のスライド板２３とが一体に形成されている。ガードボルト１９は、ボルト部２１の穴２１ａに装着される不図示のピンを、図３に示す錠箱５の長穴２５に係合させ、図２の左右方向にスライド自在となっている。
【００２５】
スライド板２３には、ガードボルト１９の移動方向に沿って長短一対とされ、これらガードボルト係合部１３ｂ、１３ｅが嵌入する凹部２８、２９が形成される。長尺な一方の凹部２８には、第１のガードボルト係合部１３ｂに当接し摺接する進出摺接部２６ａと後退摺接部２６ｂを有し、短尺な他方の凹部２９には、、第２のガードボルト係合部１３ｅに当接し摺接する進出摺接部２７ａと後退摺接部２７ｂを有している。
なお、揺動突起部１３ｄは、ガードボルト１９のスライド板２３側面（図２中前面）と後述する昇降板５１との間を揺動する。
【００２６】
ガードボルト１９は、軸部１３がポジションａの状態のとき、ガードボルト係合部１３ｂが凹部２９に嵌入し、図２の最右端側に配置され、フロント板７から先端が突出しない状態で、錠箱５内に収容される（図２の状態）。
【００２７】
一方、軸部１３がポジションｂに回転されると、第１のガードボルト係合部１３ｂによって進出摺接部２６ａが押圧されて、ガードボルト１９は図２の左側にスライドされる。ガードボルト１９は、図２の左側にスライドされると、フロント板７のガードボルト穴３３から外部へ突出される。ガードボルト１９は、軸部１３がポジションｂに配置されても、第１のガードボルト係合部１３ｂが進出摺接部２６ａに接触したままの状態を維持し、フロント板７から突出されたままとなる。これにより、ガードボルト１９は、半突出位置となる。
【００２８】
さらに、軸部１３がポジションｃに回転されると、第２のガードボルト係合部１３ｅによって進出摺接部２７ａが押圧され、ガードボルト１９は図２の最左端側にスライドされる。これにより、ガードボルト１９は、全突出位置となる。
【００２９】
また、軸部１３が、上述と逆の方向、すなわち、ポジションｃからポジションｂ、ポジションａへ回転されることで、ガードボルト１９は、半突出状態を経て錠箱５内へ後退することになる。このときには第１、第２のガードボルト係合部１３ｂ、１３ｅがそれぞれ後退摺接部２６ｂ、２７ｂを押圧することでガードボルト１９を後退させる。つまり、軸部１３は、回転操作されることでフロント板７からガードボルト１９を出し入れ可能にしている。
【００３０】
錠箱５内にはバネ性を有するクリックプレート３５が設けられ、クリックプレート３５はガードボルト１９の下面に当接し、ガードボルト１９を後退位置、半突出位置、全突出位置に、選択的に付勢する。
【００３１】
軸部１３は、後述するサムターン又は第一シリンダー錠１５によって一定の連動関係を持って回転される。すなわち、軸部１３は、サムターンと完全一致して回転される。一方、軸部１３と第一シリンダー錠１５とは、遊びを持って回転される。この遊び構造は、軸部１３の端面から突出された図４に示す突起３７を、第一シリンダー錠１５の図２に示す周溝３９に係合させることにより実現されている。但し、キーが挿入された状態においては、第一シリンダー錠１５と軸部１３とは、完全一致して回転される。
【００３２】
この軸部１３と第一シリンダー錠１５との連動関係は、軸部１３が図２の時計回りへ回転（ポジションｂ、ポジションｃへ回転）されると、第一シリンダー錠１５が連動され、その後、軸部１３が図２の反時計回りへ回転（ポジションｃ、ポジションｂへ回転）されても、突起３７が周溝３９内を移動するのみで、第一シリンダー錠１５が連動しないようになっている。
【００３３】
錠箱５にはリリースカム４１が設けられ、リリースカム４１はシリンダーユニットＢ内に設けられた第二シリンダー錠４３と完全一致して回転するようになっている。リリースカム４１には頂部４１ａが突設され、頂部４１ａはガードボルト１９が錠箱５内に後退した際、ガードボルト１９に設けられた図５に示す水平板１９ａに係合するようになっている。後退するガードボルト１９の水平板１９ａに、頂部４１ａが当接したリリースカム４１は、図２の時計回りに回転される。
【００３４】
扉３の前端面９に対向する扉枠には、ガードボルト１９が進入する図６に示す切欠４２及び受穴４５を有したストライク４７が設けられている。
このストライク４７には、全長が伸縮自在に構成され、かつ、伸長状態の長さが所定の長さに設定されたガードアーム４９の基端部が上方に位置し吊下状態となって回転自在に軸支されている。
【００３５】
ガードアーム４９の下端となる先端には、環状先端部４９ａが設けられ、環状先端部４９ａは切欠４２に配置される。ガードアーム４９は、付勢手段としての引張コイルばねなどが内蔵されて常に伸長しないように構成されているのが好ましい。
【００３６】
この環状先端部４９ａには、ガードボルト先端の図５に示す括れ部１９ｃが挿入されるようになっている。
環状先端部４９ａに挿通されて切欠４２に進入したガードボルト１９は、扉３の開動に伴って切欠４２の側面開口部から脱出可能になっている。
【００３７】
このガードボルト１９は、扉閉鎖時に、軸部１３がポジションｂに回転操作されて、フロント板７から突出すると、括れ部１９ｃが環状先端部４９ａを貫通して切欠４２に進入する。
この状態で、扉３が開放されると、環状先端部４９ａに括れ部１９ｃが掛止した状態になり、ガードアーム４９は基端部を中心に回転しながら伸長する。
【００３８】
ガードアーム４９が伸長限度に達すると、扉３がガードアーム４９を介して扉枠側に固定される。
これにより、扉３の開放角度が規制され、来訪者の確認等を安全に行うことができるようになっている。
なお、本発明に係る施錠装置１は、上記したガードアーム４９を設けない構成としても勿論よい。
【００３９】
錠箱５にはロック手段Ｄの一構成部材である昇降板５１が設けられ、昇降板５１は上下方向に長い長穴５１ａを、錠箱５の図２に示すピン５３に係合して、上下方向へ移動自在となっている。昇降板５１には凹状係合部５１ｂが形成され、凹状係合部５１ｂは軸部１３の昇降板係合部１３ｃと係合するようになっている。
【００４０】
昇降板５１は、凹状係合部５１ｂに昇降板係合部１３ｃが係合することで、軸部１３がポジションｃに回転されたときのみ、上方へ移動されるようになっている。従って、それ以外のポジションａ、ポジションｂでは、下方に配置されたままの状態となる。なお、この凹状係合部５１ｂの上縁及び下縁には、当接部５１ｅ、５１ｆを有し、ポジションａ、ｂのときには昇降板係合部１３ｃが下縁の当接部５１ｆに当接して昇降板５１の上昇を防ぎ、ポジションｃのときには昇降板係合部１３ｃが上縁の当接部５１ｅに当接して昇降板５１の降下を防ぐ。
【００４１】
昇降板５１の上下端には接続板５１ｃ、接続板５１ｄが延設され、接続板５１ｃは錠箱５の上面から錠箱５の上方へ突出され、接続板５１ｄは錠箱５の下面から錠箱５の下方へ突出されている。なお、図３中の５２は錠箱５のカバーを示す。
【００４２】
図８に示すように、シリンダーユニットＢ内において、第一シリンダー錠１５の回転外周には係合リング５５が固着され、係合リング５５の外周には二つの係合突起５５ａ、５５ｂが、円周方向に間隙を隔てて、本実施の形態では４５°間隔に設けられている。また、第二シリンダー錠４３の回転外周にはキャンセルリング５７が設けられ、キャンセルリング５７の外周には段部５７ａ及び連結爪５８が延出して形成されている。
【００４３】
キャンセルリング５７の連結爪５８にはクリックバネ５９の一端が固定され、クリックバネ５９の他端はシリンダーユニットＢのケース６１の軸部６１ａに固定されている。つまり、第二シリンダー錠４３は、クリックバネ５９によりキャンセルリング５７が付勢されることで、図２のポジションｄ、ポジションｅのいずれかに選択配置されるようになっている。
【００４４】
シリンダーユニットＢには基端がケース６１に回転自在に支持されたストッパー６３が設けられ、ストッパー６３は先端６３ａが係合突起５５ａ、５５ｂに係合し、側板６３ｂがキャンセルリング５７の段部５７ａに係合するようになっている。また、ストッパー６３は、不図示の付勢手段により先端６３ａが係合リング５５に接する方向に付勢されている。
【００４５】
すなわち、ストッパー６３は、キャンセルリング５７がポジションｄのとき、段部５７ａと側板６３ｂとが離れ、先端６３ａが係合リング５５に当接され、ポジションｅのとき、側板６３ｂが段部５７ａによって押圧され、先端６３ａが係合リング５５から離反するようになっている。なお、シリンダーユニットＢに設けられる二つの第一シリンダー錠１５及び第二シリンダー錠４３は、同一のシリンダキーを使用して操作されるようになっている。
【００４６】
補助錠Ｃは、錠本体Ａの下方で扉３内に設けられている。図９に示す補助錠Ｃの補助錠箱６５には作動部材６７が回転軸６９を中心に回転自在に設けられ、作動部材６７の外周からは三つの連接腕７１ａ、７１ｂ、７１ｃが突設されている。
【００４７】
作動部材６７の第一の連接腕７１ａには連結プレート７３が滑軸７５を介して回転自在に連結され、連結プレート７３は滑軸７５が補助錠箱６５の図２に示す長穴７７に案内されることで、上下方向へ移動自在となっている。連結プレート７３は、補助錠箱６５の上端面から先端７３ａが突出されている。この連結プレート７３の先端７３ａは、上述した昇降板５１の接続板５１ｄに、下部連結材７９を介して連結されている。
【００４８】
第二の連接腕７１ｂにはクリックバネ８１の一端が固定され、クリックバネ８１の他端は補助錠箱６５に固定されている。クリックバネ８１は、第一の連接腕７１ａが図２のポジションｆ又はポジションｇのいずれかに選択配置されるように、作動部材６７を付勢している。
【００４９】
補助錠箱６５内にはデッドボルト８３が設けられ、デッドボルト８３は補助錠箱６５に設けられた図２に示す支持軸８５に長穴８７を係合させて、図２の左右方向に移動自在となっている。デッドボルト８３の上部には凸部８３ａが形成され、凸部８３ａには曲溝８３ｂが形成されている。デッドボルト８３は、曲溝８３ｂがピン８５を介して作動部材６７の第三の連接腕７１ｃに連結されている。
【００５０】
デッドボルト８３は、連接腕７１ａがポジションｇに配置されると、連接腕７１ｃが凸部８３ａを図２の右方向へ押圧し、補助錠箱６５内へ収容された状態となる。
一方、連接腕７１ａがポジションｆに配置されると、時計回りに回転する連接腕７１ｃが凸部８３ａを押圧し、デッドボルト８３は、図２の左側へスライドされる。
【００５１】
デッドボルト８３は、この状態で、図１０に示すフロント板８９に穿設されたデッドボルト穴９１から先端を突出させる。デッドボルト８３は、ガードボルト１９が半突出位置に突出した後に、軸部１３がさらに同方向に回転操作されることでフロント板８９から突出されるようになっている。
【００５２】
補助錠箱６５内には、略Ｌ字形状のカマデッド９３が、図２に示す支持軸９５を回転中心に揺動自在に固定されている。
カマデッド９３には中途に長穴９３ａが穿設され、この長穴９３ａはデッドボルト８３の支持穴８３ｃと図２に示す連結ピン９７を介して連結されている。つまり、カマデッド９３は、デッドボルト８３の進退に従動して揺動自在となっている。
【００５３】
そして、カマデッド９３は、デッドボルト８３の突出に伴って揺動し、鉤状先端部９３ｂがフロント板８９より進出し、扉枠の下方に位置する不図示の補助錠用のストライクに穿設された受穴周囲の裏側面に掛止するようになっている。
【００５４】
なお、本実施の形態では、図９に示すように、デッドボルト８３の先端が、上方及び先端縁が開口した略コ字状に形成され、この先端部分の中空部分にカマデッド９３が位置するよう構成され、また、このカマデッド９３は、やや厚みのある板材より構成される。なお、図９中、９４は補助錠箱６５のカバーを示す。
【００５５】
ロック手段Ｄは、昇降板５１と、昇降板５１に連結される図２に示すロックプレート９９とからなる。扉３の内部には、錠本体Ａから上端面に向けて図１に示す摺動空間１０１が形成され、摺動空間１０１は上端が扉３の上端面で開口している。ロックプレート９９は、この摺動空間１０１で上下方向に移動可能となっている。そして、ロックプレート９９は、昇降板５１が上方へ移動された状態で、先端が９９ａが、扉３の上端面から突出されるようになっている。
【００５６】
次に、以上のように構成された施錠装置１の作用を説明する。
図１１はサムターンでの施錠動作を（ａ）〜（ｃ）の手順で表した説明図、図１２はサムターンでの解錠動作を（ａ）〜（ｃ）の手順で表した説明図、図１３はシリンダー錠での施錠動作を（ａ）〜（ｃ）の手順で表した説明図、図１４はシリンダー錠での解錠動作を（ａ）〜（ｃ）の手順で表した説明図、図１５は解錠状態の施錠装置を、錠箱を切り欠いて示した側面図、図１６はガードロック状態の施錠装置を、錠箱を切り欠いて示した側面図、図１７はダブルロック状態の施錠装置を、錠箱を切り欠いて示した側面図、図１８はシングルロック状態の施錠装置を、錠箱を切り欠いて示した側面図、図１９はシングルロック仕様の施錠状態を、錠箱を切り欠いて示した側面図である。
【００５７】
なお、図１１、図１２は屋内側からサムターンを見た図であり、図１３、図１４は屋外側からシリンダー錠を見た図である。また、図１５〜図１９は屋外側から錠本体Ａ、シリンダーユニットＢ及び補助錠Ｃを見た図であり、かつ錠本体Ａの内部を見せるようにシリンダーユニットＢを錠本体Ａに対して位置を変えた図である。
【００５８】
先ず、サムターン１１１を使用しての施錠手順を説明する。
図１１（ａ）に示すように、扉３が解錠状態、すなわち、サムターン１１１が垂直位置のとき、図１５に示すように、軸部１３がポジションａとなり、ガードボルト１９は錠箱５内に収容され、昇降板５１は下側に配置されている。
【００５９】
図１１（ｂ）に示すように、サムターン１１１が反時計回りに４５°回転されると、図１６に示すように、軸部１３がポジションｂとなり、第１のガードボルト係合部１３ｂがガードボルト１９を押圧して、ガードボルト１９を半突出位置に突出させる。この際、昇降板５１は、下側に配置されたままとなる。
【００６０】
これにより、ガードボルト１９が図６に示すガードアーム４９に係合し、扉３が開放されると、環状先端部４９ａにガードボルト１９の括れ部１９ｃが掛止した状態になり、ガードアーム４９は上方の基端部を中心に揺動しながら伸長する。ガードアーム４９が伸長限度に達すると、扉３がガードアーム４９を介して扉枠側に固定される。従って、扉３の開放角度が規制される。
【００６１】
このガードボルト１９が突出した状態で、扉３が閉められ、図１１（ｃ）に示すように、サムターン１１１がさらに反時計回りに４５°回転されると、図１７に示すように、軸部１３がポジションｃとなり、第２のガードボルト係合部１３ｅがガードボルト１９を押圧し、ガードボルト１９をフロント板７からさらに突出させる。フロント板７から突出したガードボルト１９は、先端が図６に示す扉枠の受穴４５に進入し施錠装置１を本締状態とする。
【００６２】
この際、同時に、昇降板係合部１３ｃが回転して昇降板５１を上方に押圧し、昇降板５１が上方へ移動される。昇降板５１が上方へ移動されると、補助錠Ｃの連結プレート７３が上方へ移動され、作動部材６７が図１７の時計回りに回転される。これにより、連接腕７１ｃによってデッドボルト８３が突出される。またこれと同時に、カマデッド９３がデッドボルト８３の突出に伴って揺動し、デッドボルト穴９１から円弧状の軌跡を描いて突出する。
これにより、カマデッド９３は、鉤状先端部９３ｂが扉枠下方の不図示の受穴の裏側面に掛止する。
【００６３】
さらに、この際同時に、ロックプレート９９が昇降板５１の移動と共に上方へ移動され、扉３の上端面から突出され、図示しない扉枠の上方の係止穴などに係合する。
【００６４】
この状態まで、第一シリンダー錠１５は、サムターン１１１の回転と共に回転し、図１７に示すように、係合リング５５の係合突起５５ｂがストッパー６３に係合して、反時計回りの回転が阻止される。サムターン１１１と第一シリンダー錠１５とは、上述したように、遊びを有して連結されるため、この状態で、サムターン１１１を介しては軸部１３の解錠方向の回転が可能になるのに対し、第一シリンダー錠１５を介しては軸部１３の解錠方向の回転が不能になる。
【００６５】
従って、サムターン１１１を使用しての解錠手順では、図１２（ａ）に示すように、９０°回転されて施錠状態にあるサムターン１１１が、図１２（ｂ）に示すように、時計回りに４５°回転可能となる。サムターン１１１が図１２（ｂ）に示す位置に回転されれば、再び軸部１３がポジションｂに戻り、ロックプレート９９と、デッドボルト８３及びカマデッド９３とによる施錠が解除され、ガードボルト１９が半突出位置の状態となる。
【００６６】
サムターン１１１がさらに時計回りに４５°回転されて図１２（ｃ）に示す位置になると、第１、第２のガードボルト係合部１３ｂ、ｅがガードボルト１９を錠箱５内に後退させて、施錠装置１が解錠状態となる。
【００６７】
つまり、施錠装置１は、サムターン１１１のみの使用により、ガードボルト１９、デッドボルト８３、カマデッド９３、ロック手段Ｄの全てが施錠及び解錠できるようになっている。
なお、このサムターン１１１の施錠及び解錠操作においては、第一シリンダー錠１５と共に回転する係合リング５５のストッパー６３との係合状態が、図１５に示す未係合状態、及び図１７に示す係合突起５５ｂとの係合状態のいずれであっても操作が行われる。
【００６８】
次に、キーを使用しての施錠手順を説明する。
施錠装置１では、屋外側からキーを使用して施錠を行う場合、第二シリンダー錠４３を使用しないで操作される。
施錠を行うには、図１３（ａ）に示す状態から、第一シリンダー錠１５にキーを差し込み、図１３（ｂ）に示す状態となるまで時計回りに４５°回転する。これにより、軸部１３も同時に回転され、図１６に示す状態となって、ガードボルト１９が半突出位置となる。
【００６９】
図１３（ｂ）に示す状態から、図１３（ｃ）に示す状態となるまでさらにキーを時計回りに４５°回転すると、軸部１３も同時に回転され、図１７に示す状態となって、ガードボルト１９が全突出位置となり、補助錠Ｃのデッドボルト８３及びカマデッド９３、ロック手段Ｄのそれぞれが施錠状態となる。
【００７０】
次に、キーを使用しての解錠手順を説明する。
キーを使用しての解錠の際には、第一シリンダー錠１５にキーを差し込み、図１３（ｃ）に示す状態から反時計回りに回転させようとしても、ストッパー６３が係合リング５５の係合突起５５ｂに係合しているため、回転が阻止される。
【００７１】
このため、屋外からの解錠に際しては、図１４（ａ−１）に示すように、先ず、第二シリンダー錠４３にキーを差し込み、図１４（ａ−２）の状態となるように、キーを反時計回りに４５°回転する。第二シリンダー錠４３が反時計回りに回転されると、図１８に示すように、第二シリンダー錠４３と連動するキャンセルリング５７が回転し、段部５７ａがストッパー６３を押圧して、ストッパー６３と係合リング５５との係合を解除する。これにより、第一シリンダー錠１５の回転が可能となる。
【００７２】
第二シリンダー錠４３に差し込まれたキーを、第一シリンダー錠１５へ差し替え、図１４（ｂ）に示すように、反時計回りに４５°回転する。これにより、デッドボルト８３及びカマデッド９３と、ロック手段Ｄとが後退し、ガードボルト１９のみが半突出状態となる。さらに図１４（ｃ）に示すように、第一シリンダー錠１５に差し込んだキーを反時計回りに４５°回転することで、ガードボルト１９が錠本体Ａに後退し、扉３が解錠されることになる。
【００７３】
なお、キーは、キーを４５°回転して図１４（ａ−２）の状態となった時には、一度鍵穴を水平にして図１４（ａ−３）の状態としてからでなくては、抜けないようになっている。
【００７４】
また、第二シリンダー錠４３が操作され、ストッパー６３による係合リング５５への規制が解除された状態では、図１８に示すように、第二シリンダー錠４３と連動するリリースカム４１が図中反時計回りに回転された状態となる。従って、施錠状態のガードボルト１９が解錠され、再び後退されれば、リリースカム４１がガードボルト１９の水平板１９ａにより押圧されて回転され、再び、ストッパー６３を、係合リング５５に当接する位置へリセットする。
【００７５】
このように、施錠装置１は、屋外側からキーを使用して解錠する場合には、第二シリンダー錠４３を操作して、第一シリンダー錠１５の回転規制を解除した後でなければ、この第一シリンダー錠１５が解除できない。つまり、ダブルロック仕様となっている。
【００７６】
なお、上記施錠装置１は、キーを仕様した屋外側からの解錠の際、第二シリンダー錠４３の操作を省略する所謂シングルロック仕様とすることもできる。この場合、第二シリンダー錠４３、すなわち、リリースカム４１に連動する切替手段としてのミゾボタンを、サムターン１１１の設けられた錠箱５の屋内側の面に設けておく。そして、このミゾボタンを操作して、図１９に示すように、段部５７ａがストッパー６３を押圧し、かつリリースカム４１がガードボルト１９と干渉しない位置とすることで、第二シリンダー錠４３の第一シリンダー錠１５に対する回転規制の解除操作を不要な状態とすることができ、施錠装置１をシングルロック仕様に切り替えることができる。
【００７７】
このように、上述の施錠装置１によれば、屋外側からの操作において、第二シリンダー錠４３を操作し、第一シリンダー錠１５の回転規制を解除してからでなくては、第一シリンダー錠１５によりガードボルト１９を後退させることができない。一方、屋内側からの操作においては、サムターン１１１のみの操作により、第一シリンダー錠１５、第二シリンダー錠４３とが解錠される。これにより、屋外側からの解錠が容易でなくなるとともに、屋内側からの施錠・解錠操作が複雑になることがない。
【００７８】
また、サムターン１１１又は第一シリンダー錠１５が回転操作され、ガードボルト１９が突出すると、同時にロック手段Ｄが扉３の上端面から突出され、このロック手段Ｄの先端が扉枠に係合して、ガードボルト１９による本締めと、ロック手段Ｄによる扉枠へのロックとが同時になされることになる。すなわち、簡単な構造で二重の施錠状態となって防犯性が向上する。また、ロック手段Ｄは、サムターン１１１又は第一シリンダー錠１５の回転により連動されるため、他の構造の補助錠等が不要となる。
【００７９】
そして、ガードボルト１９の突出に従動してデッドボルト８３が突出され、このデッドボルト８３の突出に伴ってカマデッド９３が揺動され、カマデッド９３の鉤状先端部が受穴の裏側にも掛止するようになるので、単にガードボルト１９やデッドボルト８３が受穴に進入する施錠では防ぐことのできなかった扉枠と扉前端面の離反方向の破壊による不正な施錠解除が防止可能になる。
【００８０】
さらに、屋内側のミゾボタンにより第二シリンダー錠４３が操作され、第一シリンダー錠１５に対する回転規制が常に解除状態となることで、第二シリンダー錠４３を操作することなく、第一シリンダー錠１５のみの操作によりガードボルト１９が後退可能となり、屋外側からの容易なシングル解錠操作が設定可能になる。
【００８１】
【発明の効果】
以上詳細に説明したように、本発明に係る施錠装置は、回転操作されるサムターンにより進退されるガードボルトと、サムターンの回転に従動し、ガードボルトが突出した状態で、ガードボルトを後退させる方向のキー操作が不能になる第一シリンダー錠と、第一シリンダー錠に使用される同一のキー又はサムターンにより操作され第一シリンダー錠の回転規制を解除する第二シリンダー錠とを備えたので、屋外側からは、第二シリンダー錠を操作し、第一シリンダー錠の回転規制を解除してからでなくては、第一シリンダー錠によりガードボルトを後退させることができない一方、屋内側からは、サムターンのみの操作により、第一シリンダー錠、第二シリンダー錠とを施錠状態にすることができる。この結果、防犯性能の向上と、利便性とを同時に達成することができる。
【００８２】
また、本発明に係る施錠装置によれば、第二シリンダー錠に連動連結される切替手段を、サムターンの設けられた錠箱の屋内側の面に設け、この切替手段を操作することで、第二シリンダー錠の第一シリンダー錠に対する回転規制の解除操作が、必要な状態、又は不要な状態とすることができ、すなわちこの施錠装置を所謂ダブルロック仕様又はシングルロック仕様に選択することが可能となる。
【００８３】
さらに、本発明に係る施錠装置では、屋外側からの解錠時には、第二シリンダー錠のキー操作により第一シリンダー錠の回転規制を解除した後、第一シリンダー錠のキー操作によりガードボルトを後退させて解錠する一方、屋内側からの解錠時には、サムターンの回転操作のみによりガードボルトを後退させて解錠するので、屋外側からは二重の操作が必要になるのに対し、屋内側からは一回の操作により解錠を可能にすることができる。この結果、防犯性能の向上と、利便性とを同時に達成することができる。
【図面の簡単な説明】
【図１】  本発明に係る施錠装置の設けられた扉の斜視図である。
【図２】  図１の施錠装置を、錠箱を切り欠いて示した側面図である。
【図３】  図２の錠本体の分解斜視図である。
【図４】  （ａ），（ｂ）軸部の斜視図である。
【図５】  ガードボルトの斜視図である。
【図６】  扉枠に設けられたガードアームの斜視図である。
【図７】  錠本体に取り付けられるフロント板の斜視図である。
【図８】  図２のシリンダーユニットの分解斜視図である。
【図９】  図２の補助錠の分解斜視図である。
【図１０】  補助錠に取り付けられるフロント板の斜視図である。
【図１１】  サムターンでの施錠動作を（ａ）〜（ｃ）の手順で表した説明図である。
【図１２】  サムターンでの解錠動作を（ａ）〜（ｃ）の手順で表した説明図である。
【図１３】  シリンダー錠での施錠動作を（ａ）〜（ｃ）の手順で表した説明図である。
【図１４】  シリンダー錠での解錠動作を（ａ）〜（ｃ）の手順で表した説明図である。
【図１５】  解錠状態の施錠装置を、錠箱を切り欠いて示した側面図である。
【図１６】  ガードロック状態の施錠装置を、錠箱を切り欠いて示した側面図である。
【図１７】  ダブルロック状態の施錠装置を、錠箱を切り欠いて示した側面図である。
【図１８】  シングルロック状態の施錠装置を、錠箱を切り欠いて示した側面図である。
【図１９】  シングルロック仕様の施錠状態を、錠箱を切り欠いて示した側面図である。
【符号の説明】
１  施錠装置
３  扉
５  錠箱
１５  第一シリンダー錠
１９  ガードボルト
４３  第二シリンダー錠
６３  ストッパー
８３  デッドボルト
９３  カマデッド
９３ｂ  鉤状先端部
１１１  サムターン
Ｄ  ロック手段
【図１】
0004231606.tif 000002
【図２】
0004231606.tif 000003
【図３】
0004231606.tif 000004
【図４】
0004231606.tif 000005
【図５】
0004231606.tif 000006
【図６】
0004231606.tif 000007
【図７】
0004231606.tif 000008
【図８】
0004231606.tif 000009
【図９】
0004231606.tif 000010
【図１０】
0004231606.tif 000011
【図１１】
0004231606.tif 000012
【図１２】
0004231606.tif 000013
【図１３】
0004231606.tif 000014
【図１４】
0004231606.tif 000015
【図１５】
0004231606.tif 000016
【図１６】
0004231606.tif 000017
【図１７】
0004231606.tif 000018
【図１８】
0004231606.tif 000019
【図１９】
0004231606.tif 000020